(57)【特許請求の範囲】
【請求項１】
一枚のブランクシートから一体的に打ち抜かれた箱体形成片からなり、この箱体形成片には、互いに平行に連接された複数の側面と、この側面の端部に形成された蓋片と、上記側面のうち上記蓋片が形成された側面と対面する他の側面から延長して形成された吊り下げ片とを備え、この吊り下げ片は、折罫線で折り返されて折り返し部が上記側面から延長された部分と糊付けされ、上記吊り下げ片から上記側面の中央上部にかけて係止片と連結片が折罫線を挟んで形成され、上記係止片と連結片の間の折罫線の両側には上記連結片から上記係止片側に僅かにずれて係止凸部が各々形成され、上記吊り下げ片の上記折り返し部は、折り返した状態で上記係止片の切り取り孔を塞ぐとともに、上記折り返し部の中央部に設けられた吊り下げ孔が上記切り取り孔と連通し、上記蓋片端部に連接して形成されている差込片には上記係止片が差し込まれる係止孔を有し、この係止孔の両側には係止用切り込みが形成され、組み立て状態で、上記係止片が上記係止孔に差し込まれ係止されるとともに、上記係止凸部が上記係止用切り込みに係止されることを特徴とする吊り下げ式包装用箱。
【請求項２】
一枚のブランクシートから一体的に打ち抜かれた箱体形成片からなり、この箱体形成片には、互いに平行に連接された複数の側面と、この側面の端部に形成された蓋片と、上記側面のうち上記蓋片が形成された側面と対面する他の側面から延長して形成された吊り下げ片とを備え、この吊り下げ片は、折罫線で折り返されて折り返し部が上記側面から延長された部分と糊付けされ、上記折り返し部は上記蓋片が形成された側面に対面するように折り返され、上記折り返し部中央には両端に係止用切り込みを有した係止孔が形成され、上記蓋片端部に連接して形成されている差込片には両端に係止凸部が形成され上記係止孔に差し込まれる係止片を有し、組み立て状態で、上記係止片が上記係止孔に差し込まれ係止されるとともに、上記係止凸部が上記係止用切り込みに係止されることを特徴とする吊り下げ式包装用箱。
【請求項３】
上記折り返し片が延長された上記側面の上方中央部には、上下方向にスリットが形成されている請求項２記載の吊り下げ式包装用箱。
【発明の詳細な説明】
【０００１】
【発明の属する技術分野】
この発明は、吊り下げて商品を展示することの出来る吊り下げ式包装用箱に関する。
【０００２】
【従来の技術】
従来の吊り下げ式包装用箱は、例えば、実開平６−２２２２０号公報に開示されているように、商品を収める箱体と、この箱体の上部に開閉自在に形成された上蓋片と、この上蓋片とは反対側で箱体側面から延長した吊り下げ片から構成されている。この包装用箱の吊り下げ片は、吊り下げ用の透孔が形成され、箱体側面から延長された紙片を折り返して折り返し部分の先端が箱体内部に位置するように形成されている。この折り返し部分には、上蓋片とその差込片の間の罫線部分に形成された差し込み用のスリットに挿入される係止片が設けられている。この係止片は、折り返し部分のほぼ中央部で円弧状の切り込み線を介して形成されている。
【０００３】
そして、上蓋片の差込片を箱体内に挿入して、吊り下げ片の係止片を切り込み線からわずかに起こして、上蓋片のスリットに差し込むことにより、上蓋片のスリットに係止片に係合して開かなくなり、上蓋片のロックがなされる。
【０００４】
【発明が解決しようとする課題】
上記従来の技術の場合、上蓋片は係止片のみで保持されているので、係止片が形成された切り込み線の切り込み端部に応力が集中し、係止片を形成した切り込み線の端部が裂けやすく、係止片自体の強度も弱いものであった。従って、係止片の保持力も弱く、箱の振動や中身の商品の移動による衝撃力で上蓋片が持ち上がったり、切り込み線が裂けて開いたりしやすいものであった。しかも上蓋片が持ち上がると、箱体内部に埃や異物が進入しやすくなり、安全衛生上も問題となっていた。
【０００５】
この発明は、上記従来の技術の問題点に鑑みてなされたもので、容易に蓋が開かず、振動などによっても蓋の保持が外れにくい吊り下げ式包装用箱を提供することを目的とする。
【０００６】
【課題を解決するための手段】
この発明は、厚紙等の一枚のブランクシートから一体的に打ち抜かれた箱体形成片からなり、この箱体形成片には、互いに平行に連接された複数の側面と、この側面の端部に形成された蓋片と、上記側面のうち上記蓋片が形成された側面と対面する他の側面から延長して形成された吊り下げ片とを備え、この吊り下げ片は、折罫線で折り返されて折り返し部が上記側面から延長された部分と糊付けされ、上記吊り下げ片から上記側面の中央上部にかけて係止片と連結片が折罫線を挟んで形成され、上記係止片と連結片の間の折罫線の両側には上記連結片から上記係止片側に僅かにずれて係止凸部が各々形成され、上記吊り下げ片の上記折り返し部は、折り返した状態で上記係止片の切り取り孔を塞ぐとともに、上記折り返し部の中央部に設けられた吊り下げ孔が上記切り取り孔と連通し、上記蓋片端部に連接して形成されている差込片には上記係止片が差し込まれる係止孔を有し、この係止孔の両側には係止用切り込みが形成され、組み立て状態で、上記係止片が上記係止孔に差し込まれ係止されるとともに、上記係止凸部が上記係止用切り込みに係止される吊り下げ式包装用箱である。
【０００７】
またこの発明は、一枚のブランクシートから一体的に打ち抜かれた箱体形成片からなり、この箱体形成片には、互いに平行に連接された複数の側面と、この側面の端部に形成された蓋片と、上記側面のうち上記蓋片が形成された側面と対面する他の側面から延長して形成された吊り下げ片とを備え、この吊り下げ片は、折罫線で折り返されて折り返し部が上記側面から延長された部分と糊付けされ、上記折り返し部は上記蓋片が形成された側面に対面するように折り返され、上記折り返し部中央には両端に係止用切り込みを有した係止孔が形成され、上記蓋片端部に連接して形成されている差込片には両端に係止凸部が形成され上記係止孔に差し込まれる係止片を有し、組み立て状態で、上記係止片が上記係止孔に差し込まれ係止されるとともに、上記係止凸部が上記係止用切り込みに係止される吊り下げ式包装用箱である。さらに、上記折り返し片が延長された上記側面の上方中央部には、上下方向にスリットが形成されているものである。
【０００８】
【発明の実施の形態】
以下、この発明の実施の形態について、図面に基づいて説明する。図１〜図４は、この発明の第一実施形態の吊り下げ式包装用箱を示す。この実施形態の吊り下げ式包装用箱は、図４に示すように、一枚の厚紙製等のブランクシートを打ち抜いて箱体形成片１０が形成されたものである。箱体形成片１０は、４方の側面１２，１４，１６，１８が一体に連接して形成されている。さらに組み立て状態で側面１２の内側に糊付けされる糊付け片２０が側面１８の側方に連接して形成されている。そして、側面１２，１４，１６，１８、糊付け片２０は各々折罫線２２，２４，２６，２８により区切られている。
【０００９】
側面１４の両端部には、上蓋片３０および底蓋片３１が連接して形成され、上蓋片３０は折罫線３２で、底蓋片３１は折罫線３４により、側面１４の上端および下端と区切られている。上蓋片３０および底蓋片３１には、さらに差込片３５，３６が折罫線３７，３８を介して各々形成され、差込片３５，３６の折罫線３７，３８側の両端縁部に、折罫線３７，３８からわずかに差込片３５側にずれて平行な係止用切り込み４１，４２が各１個設けられている。
【００１０】
また、差込片３５の折罫線３７側の中央付近には、折罫線３７からわずかに差込片３５側にずれて平行なスリット状の係止孔４０が設けられ、この係止孔４０の両端位置で、且つ折罫線３７上に延びた係止用切り込み４３を備える。さらに、底蓋片３１の折罫線３４側の適宜２箇所には、折罫線３４に沿ってスリット状の切り込み４４が設けられている。
【００１１】
側面１２，１６の各両端縁部には、各々上フラップ５１、底フラップ５２が設けられ、上フラップ５１は折罫線５３で側面１２，１６の各上端と区切られ、底フラップ５２は折罫線５４で側面１２，１６の下端と区切られている。また、上フラップ５１は、上蓋片３０と接する反対側の辺の折罫線５３に隣接する部分に側方に凸となった係止凸部５５が形成され、底フラップ５２は、底蓋片３１と接する反対側の辺の折罫線５４に隣接する部分に側方にも凸となった係止凸部５６が形成されている。
【００１２】
側面１８には、側面１８の上端部から延長され途中の折罫線６２で折返して互いに糊付けされる吊り下げ片６０が設けられている。吊り下げ片６０は、折罫線６２より先端側の折返し部６１が側面１８の内側面側に折り返されて、糊６６により互いに糊付されている。また、折罫線６２の適宜３箇所には、折罫線６２に沿って切り込みが設けられている。吊り下げ片６０の折返し部６１の中央部には、貫通した吊り下げ孔６４が形成されている。
【００１３】
側面１８の上端部から延長された吊り下げ片６０の中央には、折罫線３２の延長線上に所定幅で折罫線７４を有している。この折罫線７４と平行に側面１８の下端部側に、長さの等しい折罫線７６を設け、この折罫線７６と直角に、折罫線７６の両端から折罫線７４の両端まで切り込み６８を有している。さらに、折罫線７４の両端から上方に凸状の切り込みを設け、凸状の係止片７０と連結片７１を形成する。また折罫線７４の両端部に、折罫線７４と平行で、係止片７０側に僅かにずれて切り込みを設け、係止凸部７２が形成されている。
【００１４】
次に、この実施の形態の吊り下げ式包装用箱の組立方法について、図面に基づいて説明する。なお、ここでは、図４がこの吊り下げ式包装用箱の箱体形成片１０の紙面表面側を見たものであり、図４において紙面表面側が凸になる折り方を正折りと称する。まず、糊付け片２０の表面に糊６７を塗布する。その後、折罫線２２，２６を各々正折りして折り返し、糊付け片２０の表面を側面１２の裏面に糊付けする。
【００１５】
そして、商品を箱体内に収納する際には、側面１２，１４，１６，１８を互いに直角になるように起こして長方形の四角形の箱体にする。そして、折罫線５４で底フラップ５２を直角に正折りし、その後折罫線３４で底蓋片３１を正折りし、さらに差込片３６を側面１８の内側に差し込む。これにより、差込片３６の両端の係止用切り込み４１，４２が底フラップ５３の係止凸部５６に係合される。この状態で、図１、図３に示すように、箱体形成片１０による箱体の底面は底蓋片３１で閉塞され、商品を箱体の中に収納可能となる。
【００１６】
次に、箱体内に商品を収納する前または後において、箱体形成片１０の折返し部６１の裏面２箇所に糊６６を塗布し、折罫線６２を正折りして折返し部６１の裏面を側面１８の裏面に糊付けする。その後、図２に示すように、連結片７１を逆折りし、凸状の係止片７０を正折りする。この状態で、凸状の係止片７０の切り取り孔および吊り下げ孔６４は、互いに対面して重なり連通する。
【００１７】
さらに、商品を収納後、折罫線５３で上フラップ５１を直角に正折りし、図２に示すように、折罫線３２で上蓋片３０を正折りし、さらに差込片３５を側面１８の内側に差し込む。その後、図１、図３に示すように、係止片７０を差込片３５の係止孔４０に差し込む。これにより、図３に示すように、係止孔４０の両端の係止用切り込み４３が係止片７０の両端の係止凸部７２に係合され、係止片７０および上蓋片３０が開封不能に保持される。
【００１８】
この実施形態の吊り下げ式包装用箱は、側面１８上方に係止片７０および連結片７１を形成し、それを切り出すだけの簡単な構造で確実に上蓋片３０保持することができる。さらに、係止用切り込み４３を設けたので、係止孔４０と係止片７０との係合を、容易且つ確実に行うことができる。
【００１９】
次に、この発明の吊り下げ式包装用箱の第二実施形態についていて図５〜図７を基にして説明する。ここで、上述の実施形態と同様の構成は同一符号を付して説明を省略する。この実施形態では、上端が円弧状の係止片８０が差込片３５の端縁部中央に設けられ、係止片８０の両端には係止凸部８２が設けられている。また、吊り下げ片６０の折返し部６１が箱体内部に位置するように延長され、延長した中央部に係止孔８４が形成され、この左右両端部には係止用切り込み８６が設けられている。
【００２０】
さらに、吊り下げ片６０には、折罫線６２を挟んで対称の位置に吊り下げ孔６４，６５が形成されている。また、折返し部６１の係止片８０と互いに対面している側面１８の上方中央部には、上下方向にスリット８８が形成されている。
【００２１】
この実施形態の吊り下げ式包装用箱の組立方法は、箱体内に商品を収納する前または後において、箱体形成片１０の折返し部６１の裏面２箇所に糊６６を塗布し、折罫線６２を正折りして折返し部６１の裏面を側面１８の裏面に糊付けする。この状態で吊り下げ孔６４および吊り下げ孔６５は、互いに対面して重なる。
【００２２】
さらに、商品を収納後、折罫線５３で上フラップ５１を直角に正折りし、図６に示すように、折罫線３２で上蓋片３０を正折りし、さらに差込片３５の係止片８０および差込片３５を側面１８の内側に差し込み、同時に、係止片８０を係止孔８４に差し込む。なお、側面１８の切り込み８８は、係止片８０を係止孔８４に差し込み易くしている。これにより、図６に示すように、係止孔８４の両端の係止用切り込み８６と係止片８０の両端の係止凸部８２が互いに係合し、係止片８０および上蓋片３０が開封不能に保持される。
【００２３】
なお、この発明の吊り下げ式包装用箱は、上記実施形態に限定されず、係止片や係止孔の位置、数は適宜設定可能である。また、箱体の形状も四角形以外のものでも良く、上蓋片を保持可能な係止片を有したものであればよい。
【００２４】
【発明の効果】
この発明の吊り下げ式包装用箱は、吊り下げ片や差し込み片に係止片を形成し、この係止片が上蓋片と側面とを確実に近接させて保持し、容易に上蓋片が開いてしまうことがない。これにより、商品に対するいたずらや埃等の進入も確実に防止することができ、安全性や衛生上も極めて有効なものである。また、係止孔の両端に係止用切り込みを設けることにより、係止片を取り出し難くし、上蓋片の保持がさらに確実となる。
【図面の簡単な説明】
【図１】  この発明の第一実施形態の吊り下げ式包装用箱の係止片を係止孔に差し込んだ状態の縦断面図である。
【図２】  この発明の第一実施形態の吊り下げ式包装用箱の係止片を係止孔に差し込む際の部分拡大縦断面図である。
【図３】  この発明の第一実施形態の吊り下げ式包装用箱の斜視図である。
【図４】  この発明の第一実施形態の吊り下げ式包装用箱の展開図である。
【図５】  この発明の第二実施形態の吊り下げ式包装用箱の係止片を係止孔に差し込んだ状態の縦断面図である。
【図６】  この発明の第二実施形態の吊り下げ式包装用箱の斜視図である。
【図７】  この発明の第二実施形態の吊り下げ式包装用箱の展開図である。
【符号の説明】
１０  箱体形成片
１２，１４，１６，１８  側面
３０  上蓋片
４０，８４  係止孔
４３，８６  切り込み
６０  吊り下げ片
６１  折返し部
６４，６５  吊り下げ孔
７０，８０  係止片
７２，８２  係止凸部
【図１】
0004476397.tif 000002
【図２】
0004476397.tif 000003
【図３】
0004476397.tif 000004
【図４】
0004476397.tif 000005
【図５】
0004476397.tif 000006
【図６】
0004476397.tif 000007
【図７】
0004476397.tif 000008